(57)【要約】【課題】赤目現象の防止の有無により、距離に大きな差がある被写体を対象に行う撮影の撮影時間が変動するのを回避したカメラを提供する。【解決手段】多重露光夜景モード、及び赤目軽減モードが共に設定されている場合、赤目現象防止用のストロボ光の発光（プリ照射）を行った後、ストロボ光を発光させないで行う第１の撮影、ストロボ光を発光させて行う第２の撮影を行う。それにより、赤目現象防止用のプリ照射を行うか否かに係わらず、第１の撮影開始から第２の撮影終了までにかかる撮影時間を一定にさせる。【選択図】　　　図２
2004020829.tif 000002
【特許請求の範囲】
【請求項１】
閃光発光手段に閃光を発光させての撮影を行えるカメラにおいて、
前記閃光発光手段に閃光を発光させる発光制御手段と、
同一画面を対象にして、前記閃光発光手段に閃光を発光させないで行う第１の撮影、及び前記閃光発光手段に閃光を発光させて行う第２の撮影を前記第１の撮影に続けて行うモードで赤目現象防止用の撮影を行う場合に、前記第１の撮影の開始前に前記赤目現象防止用の閃光を前記発光制御手段により発光させた後、該モードに沿って前記第１、及び第２の撮影を行わせるように制御する撮影制御手段と、を備えたことを特徴とするカメラ。
【請求項２】
閃光発光手段に閃光を発光させての撮影を行えるカメラにおいて、
前記閃光発光手段に閃光を発光させる発光制御手段と、
同一画面を対象にして、前記閃光発光手段に閃光を発光させないで行う第１の撮影、及び前記閃光発光手段に閃光を発光させて行う第２の撮影を前記第１の撮影に続けて行うモードで赤目現象防止用の撮影を行う場合に、前記第２の撮影の開始より所定時間前に前記赤目現象防止用の閃光を前記発光制御手段により発光させつつ、該モードに沿って前記第１、及び第２の撮影を行わせるるように制御する撮影制御手段と、を備えたことを特徴とするカメラ。
【請求項３】
前記撮影制御手段は、被写体との距離を測定する距離測定手段の測定結果を基に、前記赤目現象防止用に前記発光制御手段を介して前記閃光発光手段に発光させる閃光の光量を変化させることを特徴とする請求項２記載のカメラ。
【請求項４】
前記撮影制御手段は、前記距離測定手段が測定した被写体との距離が予め定めた距離よりも短い場合、前記閃光発光手段に発光させる前記赤目現象防止用の閃光の光量を所定の光量から低減させることを特徴とする請求項３記載のカメラ。
【請求項５】
前記撮影制御手段は、前記第２の撮影の開始より所定時間前が前記第１の撮影中の時間である場合、該第１の撮影を中断させて前記赤目現象防止用の閃光を前記発光制御手段により発光させることを特徴とする請求項２、３、または４記載のカメラ。
【請求項６】
前記撮影制御手段は、前記赤目現象防止用の閃光を前記第１の撮影の開始前に更に発光させることを特徴とする請求項２乃至５の何れか１項に記載のカメラ。
【発明の詳細な説明】
【０００１】
【発明の属する技術分野】
本発明は、閃光を発光させないで行う撮影、及び閃光を発光させて行う撮影を同一画面に連続して行えるカメラに関する。
【０００２】
【従来の技術】
撮影は、カメラとの間の距離に大きな差があるものを被写体として行う場合がある。例えば遠く離れた山や湖、或いは橋などの建造物などを背景にして、近くに居る人物を撮るような場合である。
距離に大きな差があるものを同時に暗い状況下で撮影する場合、ストロボ光（閃光）を発光させても遠くに位置する背景は露光不足となって明瞭に写らないか、殆ど写らない。このようなことから、距離に大きな差がある被写体を共に適切に写せるように、ストロボ光を発光させないで行う撮影、及びストロボ光を発光させて行う撮影を同一画面に連続して行うモード（多重露光夜景モード）を搭載したカメラが製品化されている（特許第３００８１９０号公報等参照）。そのカメラは、図６に示すような流れ、タイミングでシャッターの開閉やフォーカシング、ストロボ光の発光を行うことにより、多重露光夜景モード設定時の撮影を行っていた。
一方、暗い状況化で人物などを被写体にして、ストロボ光を発光させて撮影（ストロボ撮影）する場合、ストロボ光が反射して目が赤く写る赤目現象が生じることが知られている。暗いことにより眼の瞳孔が広がっていることがその原因の一つとして判明している。このことから、眼の瞳孔を縮小させるための閃光（例えば光量を通常より低下させたストロボ光）を赤目現象防止用に発光させた後、ストロボ撮影を行うモード（赤目軽減モード）を搭載したカメラが製品化されている（特公昭５８−４８０８８号公報等参照）。現在では、それらのモードを共に搭載したカメラも製品化されている。
【０００３】
【発明が解決しようとする課題】
上記多重露光夜景モード、及び赤目軽減モードを搭載した従来のカメラは、それらのモードが共に設定されている場合、図７に示すように、多重露光夜景モードによる１回目の撮影→赤目軽減モードの作動（赤目現象防止用のストロボ光の発光）→多重露光夜景モードによる２回目の撮影、という流れで撮影を行うようになっていた。そのように、多重露光夜景モードによる撮影中に赤目軽減モードを作動させていたため、赤目軽減モードが設定されていない場合（図６参照）と比較して、１回目の撮影開始から２回目の撮影終了までの時間である撮影時間が長くなるという問題点があった。
撮影中に被写体が動くほど、撮影状態は悪化（低下）する。動かないでいることは人物にとっては苦痛である。このようなことから、撮影時間が長くなることは、人物に対する撮影時の要求が事実上、厳しくなることを意味する。そのようなこともあって、撮影時間が長くなることは回避すべきであると考えられる。
本発明は、赤目現象の防止の有無により、距離に大きな差がある被写体を対象に行う撮影の撮影時間が変動するのを回避したカメラを提供することを目的とする。
【０００４】
【課題を解決するための手段】
本発明の第１、及び第２の態様のカメラは、共に閃光発光手段に閃光を発光させての撮影を行えることを前提とし、それぞれ以下の手段を具備する。
第１の態様のカメラは、閃光発光手段に閃光を発光させる発光制御手段と、同一画面を対象にして、閃光発光手段に閃光を発光させないで行う第１の撮影、及び該閃光発光手段に閃光を発光させて行う第２の撮影を該第１の撮影に続けて行うモードで赤目現象防止用の撮影を行う場合に、該第１の撮影の開始前に該赤目現象防止用の閃光を発光制御手段により発光させた後、該モードに沿って該第１、及び第２の撮影を行わせる制御を行う撮影制御手段と、を具備する。
第２の態様のカメラは、閃光発光手段に閃光を発光させる発光制御手段と、同一画面を対象にして、閃光発光手段に閃光を発光させないで行う第１の撮影、及び該閃光発光手段に閃光を発光させて行う第２の撮影を該第１の撮影に続けて行うモードで赤目現象防止用の撮影を行う場合に、該第２の撮影の開始より所定時間前に該赤目現象防止用の閃光を発光制御手段により発光させつつ、該モードに沿って該第１、及び第２の撮影を行わせる制御を行う撮影制御手段と、を具備する。
なお、上記第２の態様における構成において、撮影制御手段は、被写体との距離を測定する距離測定手段の測定結果を基に、赤目現象防止用に発光制御手段を介して閃光発光手段に発光させる閃光の光量を変化させる、ことが望ましい。
【０００５】
また、撮影制御手段は、距離測定手段が測定した被写体との距離が予め定めた距離よりも短い場合、閃光発光手段に発光させる赤目現象防止用の閃光の光量を所定の光量から低減させる、ことが望ましい。
また、撮影制御手段は、第２の撮影の開始より所定時間前が第１の撮影中の時間である場合、該第１の撮影を中断させて赤目現象防止用の閃光を発光制御手段により発光させる、ことが望ましい。更には、赤目現象防止用の閃光を第１の撮影の開始前に更に発光させる、ことが望ましい。
本発明では、同一画面を対象にして、閃光を発光させないで行う第１の撮影、及び閃光を発光させて行う第２の撮影を該第１の撮影に続けて行うモードで赤目現象防止用の撮影を行う場合に、第１の撮影の開始前に赤目現象防止用の閃光を発光させる。そのタイミングで赤目現象防止用の閃光を発光させることにより、その閃光の発光の有無に拘わらず、モードに沿って第１、及び第２の撮影を行うことが可能となる。その結果、その閃光の発光の有無に拘わらず、第１の撮影を開始してから第２の撮影が終了するまでの撮影時間を一定とすることが可能となる。その閃光を発光させる場合には、その発光によって赤目現象の発生を防止できることとなる。
本発明では、同一画面を対象にして、閃光を発光させないで行う第１の撮影、及び閃光を発光させて行う第２の撮影を該第１の撮影に続けて行うモードで赤目現象防止用の撮影を行う場合に、第２の撮影の開始より所定時間前に赤目現象防止用の閃光を発光させる。そのタイミングで赤目現象防止用の閃光を発光させることにより、第１の撮影を行っているその閃光の発光の有無に拘わらず、モードに沿って第１、及び第２の撮影を行うことが可能となる。その結果、同様の効果を得られることとなる。
【０００６】
【発明の実施の形態】
以下、図面を参照しながら、本発明の実施の形態につき詳細に説明する。
＜第１の実施の形態＞
図１は、第１の実施の形態によるカメラ（撮影装置）の回路構成図である。
そのカメラは、内部にセットされたフィルムを露光することにより撮影を行うものであり、図１に示すように、カメラ全体の制御を行うＣＰＵ１０１と、フィルム搬送用のモータＭ１と、そのモータＭ１を駆動するフィルム給送回路１０２と、不図示のズームレンズの焦点距離を調節するためのモータＭ２と、そのモータＭ２を駆動して撮影倍率を変化させるズーム駆動回路１０３と、フォーカシング用のモータＭ３と、そのモータＭ３を駆動してフォーカシングを行うフォーカス駆動回路１０４と、シャッター開閉用のモータＭ４と、そのモータＭ４を駆動してシャッターの開閉を行うシャッター駆動回路１０５と、ストロボ光を発光するキセノン管１０６と、そのキセノン管１０６にストロボ光を発光させるストロボ回路１０７と、撮影視野の中央領域に位置する被写体との間の距離を測定する測距回路１０８と、撮影レンズを通過する光量を測定する測光回路１０９と、セットされたフィルムの感度を検出するためのフィルム感度検出スイッチ（ＳＷ）１１０と、撮影開始を指示するためのレリーズスイッチや撮影倍率設定用のスイッチ、及び各種モード設定用の複数のスイッチ（ともに図示せず）などを有する操作部１１１と、を備えて構成されている。モード設定用のスイッチには、多重露光撮影モード設定用のスイッチ、赤目軽減モード設定用スイッチが含まれている。
【０００７】
以上の構成において動作を説明する。
ＣＰＵ１０１は、操作部１１１を構成する各種スイッチやフィルム感度検出スイッチ１１０の状態変化を監視し、その状態変化したスイッチ、及びその変化の内容に応じた制御を実行する。それにより、各種モードの設定やその解除、ズーム駆動回路１０３にモータＭ２を駆動させることを伴う撮影倍率の設定、設定中のモードに従った撮影等を行う。
その撮影は、レリーズスイッチへの操作を検出した場合に、シャッター駆動回路１０５にモータＭ４を駆動させてシャッターを開閉させることで行う。それ以外には、測距回路１０８が測定した被写体までの距離に応じてフォーカス駆動回路１０４にモータＭ３を駆動させてのフォーカシング、測光回路１０９が測定した光量からストロボ光を発光させる必要性の有無の判定なども行う。ストロボ光を発光させる必要性が有ると判定している状況下では、撮影時にストロボ回路１０７にキセノン管１０６を発光させる。撮影後は、フィルム給送回路１０２にモータＭ１を駆動させて、フィルムを給送させる。
【０００８】
図２は、上記多重露光夜景モード、及び赤目軽減モード設定時のシャッターシーケンスを示す図である。シャッターの開閉やフォーカシング、ストロボ光の発光を行うタイミングを示したものである。次に、図２を参照して、多重露光夜景モード、及び赤目軽減モード設定時にＣＰＵ１０１の制御下で行われる撮影動作について詳細に説明する。
本実施の形態では、図２に示すように、レリーズスイッチをユーザが操作すると、図中、「プリ照射」と表記した赤目現象防止用のストロボ光をキセノン管１０６により発光させた後、ストロボ光を発光させないで行う１回目の撮影、フォーカシング、図中、「本発光」と表記した撮影用のストロボ光を発光させて行う２回目の撮影を順次、行っている。１回目の撮影開始前には、遠景撮影に適したフォーカシングを行っている。
プリ照射により人間の瞳孔を縮小させるためには０．７５〜１．３秒ほどの時間が必要である。実験的にも約１秒間で赤目現象が十分、軽減することが知られている。逆に、縮小した瞳孔は同じ時間では元の大きさに戻らない、つまり元の大きさに戻るにはより長い時間が必要である。このため、図２に示すように、１回目の撮影の前にプリ照射を行っても赤目現象を軽減させることができる。１回目の撮影開始から２回目の撮影終了までの時間である撮影時間は、１回目の撮影（開始）の前にプリ照射を行うために、そのプリ照射を行うか否かに拘わらず、一定とすることができる。なお、プリ照射を行わない場合のシャッターシーケンスは図６と同様である。
【０００９】
＜第２の実施の形態＞
赤目軽減モードでは、通常、プリ照射から本発光までの待ち時間は約１秒である。しかし、上記第１の実施の形態では、プリ照射は１回目の撮影前に行うために、１回目の撮影にかかる時間（露光時間）などによって、その待ち時間がより長くなる可能性がある。その露光時間は、フィルム感度検出スイッチ１１０が示すフィルム感度や測光回路１０９の出力値に応じて変化させることがある。そのようなことによって生じる待ち時間の変動は、人に違和感を感じさせる恐れがあることから望ましくない。第２の実施の形態は、そのような違和感を人に感じさせるのを回避するようにしたものである。
第２の実施の形態における構成は、上記第１の実施の形態のそれと基本的に同じである。動作については、多重露光夜景モード、及び赤目軽減モード設定時における撮影動作が第１の実施の形態から異なっている。このようなことから、第１の実施の形態の説明で付した符号をそのまま使用しつつ、図３を参照してその撮影動作についてのみ説明する。
【００１０】
第２の実施の形態では、図３に示すように、２回目の撮影開始から所定時間前にプリ照射を行うようにしている。その所定時間は、赤目軽減モードでのプリ照射から本発光までの待ち時間（例えば１秒）としている。それにより、プリ照射から本発光までの待ち時間を、赤目軽減モードのみが設定されているとき、それと併せて多重露出夜景モードが設定されているときとで同じとしている。このため、上述したような違和感を人に感じさせるのを回避させることができる。
上記１回目の撮影では遠景撮影に適したフォーカシングを行っている。そのために、プリ照射によって近くの被写体はピントがボケた状態で撮影されてしまう可能性がある。その可能性は、以下のようにして回避、或いは低減させることができる。
【００１１】
近年では、パワーデバイスであるＩＧＢＴ（Ｉｎｓｕｌａｔｅｄ　Ｇａｔｅ　Ｂｉｐｌａｒ　Ｔｒａｎｓｉｓｔｏｒ）が小型化して、ストロボ回路１０７に用いる電流制御素子として採用されることが多くなっている。それにより、ストロボ内蔵のカメラにも広く搭載されている。
近くの被写体のピントがボケた撮影を回避しつつ行う赤目現象防止用の効果的なプリ照射の光量は、フィルム感度がＩＳＯ１００のときにはＧＮｏ．（ガイドナンバー）１〜２程度である。上記ＩＧＢＴでは、ＧＮｏ．１〜２程度の発光量制御は容易に行うことができる。このため、ＩＧＢＴを用いたストロボ回路１０７を搭載することで、図３に示すようなタイミングで効果的なプリ照射を行うことができる。
一方、ラチチュードの最も広いカラーネガフィルムでは適正光量に対して±４Ｅｖ程度が露光される。例えばＩＳＯ１００のフィルムを使用したとして、連ステップの明るさがＦ４．０、被写体距離Ｌが３ｍのときでは、適正ＧＮｏ．は以下の計算式で求めることができる。
適正ＧＮｏ．＝Ｆ×Ｌ＝４×３＝１２　・・・　（１）
このとき、適正ＧＮｏ．から所定の露出段数（露出補正の値の差）ｄＥｖ変化させる場合のＧＮｏ．を求める。フィルムラチチュードのアンダー側限界となる−４Ｅｖとなる限界Ｇｎｏ．は下記の式で求めることができる。
限界ＧＮｏ．＝適正ＧＮｏ．×２ｄＥｖ／２＝１２×２−４／２＝３　・・・　（２）
このようなことから、フィルム感度やそのときの状況等にもよるが、ＧＮｏ．２程度の発光量で１回目の撮影中にプリ照射を行えば、近くの被写体が撮影されるのを回避しつつ、赤目現象を効果的に防止できることとなる。
被写体である人物などが極端に近くに位置している場合もある。被写体が近い場合は赤目現象が生じにくいことが知られている。このため、被写体との距離が所定の距離よりも近いときには通常のプリ照射の光量よりも低減させても良い。そのようにした場合には、プリ照射によって生じる近くの被写体からの光量をより抑えられることから、赤目現象を防止しつつ、ピントがボケた状態でその被写体を撮影するのをより回避できるようになる。
【００１２】
＜第３の実施の形態＞
上記ＩＧＢＴを採用することで高い制御精度でプリ照射の光量を調整することができる。しかし、カメラ、或いはそれに外付けされるストロボ装置によっては、高い精度で光量を調整できないことも考えられる。第３の実施の形態は、そのようなことに対応できるようにしたものである。
第３の実施の形態における構成は、上記第１の実施の形態のそれと基本的に同じである。動作については、多重露光夜景モード、及び赤目軽減モード設定時における撮影動作が第２の実施の形態から異なっている。このようなことから、第１の実施の形態の説明で付した符号をそのまま使用しつつ、図４を参照してその撮影動作についてのみ説明する。
第３の実施の形態では、第２の実施の形態と同じく、２回目の撮影開始から所定時間前にプリ照射を行うようにしている。しかし、図４に示すように、そのプリ照射を行うタイミングに合わせてシャッターを一時的に閉じることにより、１回目の撮影（における露光）を中断させている。それにより、プリ照射によって近くの被写体が撮影されてしまうのを確実に回避している。
１回目の撮影を中断させる時間は、数１０ｍｓｅｃ程度である。１回目の撮影にかかる時間は、その時間と比較して非常に大きい。このことから、１回目の撮影で露光を行っている時間は、中断の有無に拘わらず一定にしても、その中断によって中断分だけ短くしても良い。
プリ照射を行うことにより中断させる回数としては、１回ではなく、２回以上としても良い。
【００１３】
＜第４の実施の形態＞
ストロボ光の発光時間は短いこともあって、プリ照射を行っても、被写体である人物がその瞬間に眼を閉じていたり、或いは別の方向を見ているといった理由で赤目現象防止上の効果が著しく低下してしまう可能性が小さくない。第４の実施の形態は、そのような理由によって効果が低下してしまう可能性を低減するようにしたものである。
第４の実施の形態における構成は、上記第１の実施の形態のそれと基本的に同じである。動作については、多重露光夜景モード、及び赤目軽減モード設定時における撮影動作が第３の実施の形態から異なっている。このようなことから、第１の実施の形態の説明で付した符号をそのまま使用しつつ、図５を参照してその撮影動作についてのみ説明する。
第４の実施の形態では、第３の実施の形態と同じく、２回目の撮影開始から所定時間前にプリ照射を行うようにしている。そのプリ照射に加えて、図５に示すように、１回目の撮影開始前にもプリ照射を行うようにしている。それにより、プリ照射が被写体である人物の眼に入る確率を向上させて、赤目現象をより確実に防止できるようにさせている。
なお、第４の実施の形態では、１回目の撮影中にプリ照射を行う際にシャッターを閉じてその撮影を中断させているが、その光量を調整することにより、その撮影を中断しないようにしても良い。また、１回目の撮影開始前でなく、その撮影中に複数回のプリ照射を行うようにしても良い。そのプリ照射を複数回、行うようにする場合には、１回目の撮影における露光量の低下や、全体の撮影時間が長くなるのを回避するために、その光量を調整して、シャッターを閉じる必要性を回避させることが望ましい。
【００１４】
本実施の形態（第１〜第４の実施の形態）では、多重露光夜景モード設定時におけるプリ照射は赤目軽減モードの設定時にのみ行っているが、測距回路１０８が測定した被写体との距離が予め定めた距離より小さいか否かにより、赤目軽減モードの設定の有無に拘わらず、そのプリ照射を自動的に行うようにしても良い。これは、測距回路１０８が測定した被写体との距離が予め定めた距離より小さい場合、夜景を背景にして人物を撮影する可能性が高いためである。ストロボ光を発光する機能については必ずしも内蔵する必要はなく、その機能を持つ装置は外付けであっても良い。赤目現象防止用の閃光は、ストロボ光を発光する装置により発光させるのではなく、別の装置に発光させるようにしても良い。
【００１５】
【発明の効果】
以上説明したように本発明は、同一画面を対象にして、閃光を発光させないで行う第１の撮影、及び閃光を発光させて行う第２の撮影を該第１の撮影に続けて行うモードで赤目現象防止用の撮影を行う場合に、第１の撮影の開始前に赤目現象防止用の閃光を発光させる。そのタイミングで赤目現象防止用の閃光を発光させることにより、その閃光の発光の有無に拘わらず、モードに沿って第１、及び第２の撮影を行うことができる。このため、その閃光の発光の有無に拘わらず、第１の撮影を開始してから第２の撮影が終了するまでの撮影時間を一定とすることができる。その閃光を発光させる場合には、その発光によって赤目現象の発生を防止することができる。赤目現象防止用の閃光を第２の撮影の開始より所定時間前に発光させるようにした場合にも、同様の効果を得ることができる。
【図面の簡単な説明】
【図１】第１の実施の形態によるカメラの回路構成図である。
【図２】第１の実施の形態において多重露光夜景モード、及び赤目軽減モード設定時のシャッターシーケンスを示す図である。
【図３】第２の実施の形態において多重露光夜景モード、及び赤目軽減モード設定時のシャッターシーケンスを示す図である。
【図４】第３の実施の形態において多重露光夜景モード、及び赤目軽減モード設定時のシャッターシーケンスを示す図である。
【図５】第４の実施の形態において多重露光夜景モード、及び赤目軽減モード設定時のシャッターシーケンスを示す図である。
【図６】多重露光夜景モード設定時のシャッターシーケンスを示す図である。
【図７】赤目軽減モードが共に設定されている場合のシャッターシーケンスを示す図である。
【符号の説明】
１０１　ＣＰＵ
１０５　シャッター駆動回路
１０６　キセノン管
１０７　ストロボ回路
１０８　測距回路
１１１　操作部
Ｍ４　　モータ
【図１】
2004020829.tif 000003
【図２】
2004020829.tif 000004
【図３】
2004020829.tif 000005
【図４】
2004020829.tif 000006
【図５】
2004020829.tif 000007
【図６】
2004020829.tif 000008
【図７】
2004020829.tif 000009